(57)【要約】【課題】スライド式カートンにおいて、確実に掛止可能で、容易に開放してしまうことのない強固な掛止部材を有するスライド式カートンを提供することを課題とする。【解決手段】開口部を有する面（スライド面）をスライドして開封するスライド式カートンであって、スライド面を掛止するための掛止部材を有し、該掛止部材は、首部と、肩部とからなり、カートン開封時、前記首部が前記開口部に入り込んだ後、前記肩部と前記開口部の縁とが接触することによりスライド面を掛止することを特徴とするスライド式カートンである。【選択図】図６
2007161293.tif 000002
【特許請求の範囲】
【請求項１】
開口部を有する面をスライドして開封するスライド式カートンであって、前記スライド面を掛止するための掛止部材を有し、該掛止部材は、首部と、肩部とからなり、カートン開封時、前記首部が前記開口部に入り込み、前記掛止部材の肩部と前記開口部の縁とが接触することによりスライド面を掛止することを特徴とするスライド式カートン。
【請求項２】
前記カートンが１枚のシートからなることを特徴とする請求項１記載のスライド式カートン。
【発明の詳細な説明】
【技術分野】
【０００１】
本発明は、開口部を有する面（スライド面）をスライドして開封するスライド式カートンに関する。
【背景技術】
【０００２】
従来、開口部を有する面（スライド面）をスライドして開封するスライド式カートンが知られている。例えば、図８に示すような、振出口付きカートンにおいては、天面パネルの回動による開け閉めを繰り返しても、内面パネルが外れることなく確実に振出孔を形成できるようにするため、背面パネル１の上縁に回動自在に連設された天面パネル６の前縁に振出孔を穿設した内面パネル７を連設し、この内面パネル７の前縁に両サイドに係止パネル９、１０を有するスライドパネル８を連設する。さらに、両側の側面パネル２、５の上縁に内側に折り曲げたフラップ片１３、１５を設け、天面パネル６を後上方に回動させた時に、係止パネル９、１０がそれぞれフラップ片１３、１５に当接してスライドパネル８の抜け出しを防止するので、内面パネル７に設けた振出孔７ａにより振出口を形成する振出口付きカートンが開示されている（例えば特許文献１）。
【０００３】
【特許文献１】特開平６−３４５０８３号公報
【発明の開示】
【発明が解決しようとする課題】
【０００４】
しかし、上記従来の振出口付きカートンにおいては、側面パネル２、５の上縁に内側に折り曲げたフラップ片１３、１５を掛止部材としており、天面パネル６を強く引き出してしまうと、フラップ片１３、１５が開放してしまい、天面パネル６とともに内面パネル７が飛び出してしまう恐れがある。また、度重なる開封作業により、フラップ片１３、１５が強度疲労を起こし、同様に内面パネル７が開放してしまう恐れがある。
このため、スライド式カートンにおいて、確実に掛止可能でかつ容易に開放してしまうことのない強固な掛止部材を有するスライド式カートンを提供することを課題とする。
【課題を解決するための手段】
【０００５】
そこで、これらの課題を解決するため、本発明の請求項１記載の発明は、開口部を有する面（スライド面）をスライドして開封するスライド式カートンであって、スライド面を掛止するための掛止部材を有し、該掛止部材は、首部と、肩部とからなり、カートン開封時、前記首部が前記開口部に入り込んだ後、前記肩部と前記開口部の縁とが接触することによりスライド面を掛止することを特徴とするスライド式カートンである。また、このカートンが１枚のシートからなることを特徴とする。
【発明の効果】
【０００６】
本発明によれば、開口部を有する面（スライド面）をスライドして開封するスライド式カートンであって、スライド面を掛止するための掛止部材を有し、該掛止部材は、首部と、肩部とからなり、カートン開封時、前記首部が前記開口部に入り込んだ後、前記肩部と前記開口部の縁とが接触することによりスライド面を掛止することを特徴とするため、確実にスライド面を掛止することが可能である。よって、確実に掛止可能で、容易に開放してしまうことのない強固な掛止部材を有するスライド式カートンを提供することができる。また、前記カートンは一枚のシートからなるので、低コストで製造可能である。
【０００７】
このように、本発明のスライド式カートンは、極力コストを抑えて、強固な掛止効果を有するスライド式カートンを提供することができる。また、掛止部材の形状を調整することにより、掛止部材の強さ、さらには、開口部のスライド面積の調整を容易に行なうことができる。
【発明を実施するための最良の形態】
【０００８】
以下、本発明の実施例について図面を参照しつつ説明する。
図１は、本発明のスライド式カートンの一例としてのカートン１（スライド式カートン）の全体斜視図である。このカートン１は、天面１７を上方に引き出すことにより、スライド面３０が上方向にスライドするとともに該スライド面３０の略中央に形成された開口部１０が出現する。そして、該カートン１を傾けることにより、開口部１０より内容物を取り出すものである。また、閉封時においては、逆操作によりスライド面３０を収容することによりカートン１を閉封するものである。
【０００９】
このカートン１は、詳しくは図２の展開図に示すように、前面１１、後面１３、左面１２、右面１４、底面１５、１６と、天面１７を有し、該天面１７にはスライド面３０が連設されている。そして、該スライド面３０の略中央には内容物を取り出すため孔である開口部１０が形成されている。
【００１０】
また、前面１１には掛止部材５０が連設されている。特に、前記掛止部材５０は、凸形状の首部７と、該首部７より幅広に形成された肩部８とからなり、前記開口部１０の当接部分ｚと、首部７の付け根である肩部８と、が接することにより、後述する、開口部１０のスライドを掛止する。また、首部の幅Ｄと、肩部の高さｈとを調節することにより、後述する、掛止効果の大小、開口部の開口面積の大小を容易に調節することが可能である。
【００１１】
前記天面１７の左右両側には側遮面１８が連設されている。この側遮面１８は、天面１７を引き出した際に生じる左右の空隙を塞ぐものである。また、前記スライド面３０の左右両側には、支持部材１９が連設されている。この支持部材１９は、スライド面３０がスライドする際に、一定の高さを保ちつつ前後方向に摺動させるためのガイド的役割を果たすものである。
【００１２】
上記それぞれの面は１枚のシートからなり、折り線ｋを介して接している。また、カートン１の形成時に各面を貼り合わせるための接合面ｐが形成されている。そして、図２の展開図より折り線ｋに沿って各面を内側に折り込み、接合面ｐにて貼り合わせることにより、図３に示すような、スライド式カートン１を完成する。そして、このカートン１の天面１７を上方向に引き上げることにより、図４に示すように、開口部１０を有するスライド面３０が引き出される。そして、後述する、開口部１０の縁である当接部分ｚと、掛止部材５０の肩部８とが接触することにより、スライド面３０の上方向へのスライドを掛止する構成である。
【００１３】
以下に、本発明のスライド式カートン１の掛止機構について詳述する。
まず、カートン１閉封時は、図５に示すように、掛止部材５０の首部７は、スライド面３０の開口部１０に入り込む位置にある。
そして、前記天面１７が引き出されるとともにスライド面３０が引き出される。このとき、図６に示すように、前記首部７は、前記開口部１０に入り込むことにより、前記開口部１０の当接部分ｚを、自動的に掛止部材の肩部８へと導く。そして、スライド面３０が、ある一定量スライドすると、掛止部材５０の肩部８と、開口部１０の当接部分とが接触してスライドが停止される（掛止する）。このように、首部７が開口部１０に入り込むことにより、確実にスライド面３０を掛止することが可能となる。
【００１４】
また、スライド面３０を掛止する際に掛止力が生じる部分は、前記首部の付け根と、開口部１０の縁（当接部分ｚ）であり、首部８の幅Ｄを大きく形成することにより、大きな掛止力が働いても、幅の広い首部８により掛止力が分散される。よって、度重なる開封作業にも掛止部材５０が弱ることなく、度重なる開閉封操作にも耐えうる、優れた掛止効果を維持することができる。
【００１５】
また、図７に示すように、肩部８の高さｈを短く形成することにより、スライド面３０がより大きくスライドするため、開口部１０の開口面積を大きくすることが可能である。よって、内容物が大きな粒等であっても掛止部材５０の肩部８の高さを小さくするだけで、容易に開口面積を大きくすることができる。
【００１６】
このように、本発明のスライド式カートン１において、掛止部材５０が首部７と肩部８とからなり、首部７が開口部１０に入り込んで、肩部８において掛止するため、強固かつ確実にスライド面３０のスライドを掛止可能である。さらには、前記掛止部材５０の首部７の幅Ｄを広く形成することにより、さらに強固な掛止効果を奏し、また、前記肩部８の高さｈの調節により、開口部１０のスライド面積を大小とすることが容易に可能である。
【００１７】
さらには、本発明のスライド式カートン１は１枚のシートからなるため、低コストかつ容易にカートンを作製可能である。
【００１８】
本発明のスライド式カートンは、紙製パネルに限らず、ポリプロピレンフィルム、ポリエステルフィルム、ポリアミドフィルム、ポリカーボネートフィルム等のフィルムを用いても良い。
【図面の簡単な説明】
【００１９】
【図１】本発明のスライド式カートンを示す全体斜視図である。
【図２】スライド式カートンの展開図である。
【図３】スライド式カートンの閉封時を示す説明図である。
【図４】スライド式カートンの開封時を示す説明図である。
【図５】スライド式カートンの閉封時を示す一部切断斜視図である。
【図６】スライド式カートンの開封時を示す一部切断斜視図である。
【図７】スライド式カートンの別の例を示す一部切断斜視図である。
【図８】従来のスライド式カートンの一例を示す全体斜視図である。
【符号の説明】
【００２０】
１  スライド式カートン（カートン）
７  首部
８  肩部
１０  開口部
１１  前面
１２  左面
１３  後面
１４  右面
１５、１６  底面
１７  天面
１８  側遮面
１９  支持部材
３０  スライド面
５０  掛止部材
ｚ  当接部分
ｋ  折り線
ｐ  接合面
【図１】
2007161293.tif 000003
【図２】
2007161293.tif 000004
【図３】
2007161293.tif 000005
【図４】
2007161293.tif 000006
【図５】
2007161293.tif 000007
【図６】
2007161293.tif 000008
【図７】
2007161293.tif 000009
【図８】
2007161293.tif 000010